(57)【特許請求の範囲】
【請求項１】
静止画像情報又は動画像情報を記録媒体に記録する撮影装置において、
撮影を操作する撮影操作手段と、
被写体の画像情報が入力される画像入力手段と、
前記撮影操作手段が操作された時間の長さに応じて、動画像記録か静止画像記録かを判断する判断手段と
前記撮影操作手段が操作された後、前記判断手段が動画像記録か静止画像記録かを判断する前に、前記画像入力手段により出力された静止画像情報及び動画像情報を記憶する記憶手段とを有し、
前記判断手段により静止画像記録と判断された場合には、前記記憶手段に記憶された静止画像情報を前記記録媒体に記録し、
前記判断手段により動画像記録と判断された場合には、前記記憶手段に記憶された動画像情報を前記記録媒体に記録することを特徴とする撮影装置。
【請求項２】
請求項１に記載の撮影装置であって、
前記動画像情報を前記記録媒体に記録している際に、前記撮影操作手段が操作されたことで動画像記録を終了することを特徴とする撮影装置。
【請求項３】
請求項２に記載の撮影装置であって、
前記記憶手段へ前記画像情報を記憶可能になるまでの時間は、前記記録媒体へ前記画像情報を記録可能になるまでの時間よりも短いことを特徴とする撮影装置。
【請求項４】
請求項２又は請求項３に記載の撮影装置であって、
前記静止画像情報及び前記動画像情報を前記記憶手段である半導体メモリに記憶させ、
前記半導体メモリに記憶された静止画像情報又は前記半導体メモリに記憶された動画像情報を前記記録媒体である光ディスクに記録することを特徴とする撮影装置。
【請求項５】
請求項１から請求項４に記載の撮影装置であって、
前記動画像情報を前記静止画像情報よりも前記記録媒体の内周に記録することを特徴とする撮影装置。
【請求項６】
静止画像情報又は動画像情報を記録媒体に記録する撮影方法において、
被写体の画像情報を入力し、
前記撮影を操作された時間の長さに応じて、動画像記録か静止画像記録かを判断し、
撮影を操作された後、動画像記録か静止画像記録かを判断する前に、入力した静止画像情報及び動画像情報を記憶し、
静止画像記録と判断した場合には、前記記憶した静止画像情報を前記記録媒体に記録し、
動画像記録と判断した場合には、前記記憶した動画像情報を前記記録媒体に記録することを特徴とする撮影方法。
【請求項７】
請求項６に記載の撮影方法であって、
前記動画像情報を前記記録媒体に記録している際に、撮影を操作されたことで動画像記録を終了することを特徴とする撮影方法。
【請求項８】
請求項７に記載の撮影方法であって、
前記画像情報を記憶可能になるまでの時間は、前記記録媒体へ前記画像情報を記録可能になるまでの時間よりも短いことを特徴とする撮影方法。
【請求項９】
請求項７又は請求項８に記載の撮影方法であって、
前記静止画像情報及び前記動画像情報を半導体メモリに記憶させ、
前記半導体メモリに記憶された静止画像情報又は前記半導体メモリに記憶された動画像情報を前記記録媒体である光ディスクに記録することを特徴とする撮影方法。
【請求項１０】
請求項６から請求項９に記載の撮影方法であって、
前記動画像情報を前記静止画像情報よりも前記記録媒体の内周に記録することを特徴とする撮影方法。
【発明の詳細な説明】
【０００１】
【発明の属する技術分野】
この発明は記録媒体を利用して、動画及び静止画を記録する撮影装置に関するものである。
【０００２】
【従来の技術】
記録密度の向上に伴い、映像情報を記録でき、かつ装置自体の小型化がなされている撮影装置、すなわち家庭用ビデオカメラが数多く開発されている。これらの撮影装置は映像記録装置部にヘリカルスキャン型磁気テープ装置を使用しているのがほとんどである。上記ヘリカルスキャン型磁気テープ装置では、映像記録再生する場合には記録媒体であるテープを高速に回転する回転ドラムの周りに巻き付け、回転ドラムに搭載された磁気ヘッドが上記テープに高速摺動しながら記録再生を行っていた。この方式の記録装置では回転ドラムが高速に回転するため消費電力がかかる。さらに、たとえ消費電力を無視して記録開始位置で回転待機する場合でも磁気ヘッドがテープに高速摺動しているためテープが傷つく。このため家庭用ビデオカメラ等の撮影装置では上記理由から撮影開始ＳＷが押された後回転ドラムが回転し始め、テープ走行が所定の速度になった後（サーボロック状態）実際の記録が行われていた。従って撮影開始からある時間を経た後撮影するので、いわゆるシャッタチャンスを逃すことが多かった。しかし、テープ記録の場合には元々大容量記録が可能なため、動画撮影が主となり、静止画を撮影するカメラよりはシャッタチャンスを意識することは少ない。一方ディジタル記録技術の発達及び、半導体メモリ、ＣＣＤ等の撮影素子の低価格化に伴い、いわゆるディジタルカメラが急速に普及し始めた。上記ディジタルカメラに搭載される半導体メモリはその構造から非常に早い書き込み速度を持つため、撮影開始から記録までの時間を短くすることは可能であり、シャッタチャンスを逃すことはない。しかしながら容量当たりのコストが高く、大容量記録が必要な動画撮影には向かない。
【０００３】
さらに近年の記録密度の向上により、上記記録媒体のほかコンピュータ等に使用される磁気ディスク、光ディスク等も動画撮影が可能な程度に容量が増加している。このうち、光ディスクを使用した記録再生メディアは、光ディスクの交換による容量当たりのコストの安価さ、ランダムアクセス性、再生専用としたときのディスクの製造の容易さなどに長けている。従って、上記リムーバルディスクを用いて、上記テープ型ビデオカメラとディジタルカメラとの両立を狙った動画及び静止画記録ができるディスク型ビデオカメラの提案がなされている。ただし、ディスク型ビデオカメラにしても回転ディスクがある一定速度に達し、記録が開始できるまでの時間がテープ装置同様程度必要であり、静止画記録をする場合にはシャッタチャンスを逃す可能性がある。またシャッタチャンスを逃さないために常にディスクを回転させた場合には、電力消費が大きくなり、実用的ではない。
【０００４】
【発明が解決しようとする課題】
従来技術において、半導体メモリは小型、省電力、高速転送であるが容量当たりのコストが高く、大容量記録再生には適していない。また、ディスク及びテープ型装置の場合、転送速度は高く、容量当たりのコストも低いが、記録するためにメカサーボ系を必要とするため記録開始までの時間がかかり、撮影を開始する瞬間、いわゆるシャッタチャンスを逃していた。また、シャッタチャンスを逃さないためにメカサーボ系を常に動作させた場合には電力消費が大きすぎ、実用的ではない。一方動画と静止画の両立を図るディスク型ビデオカメラでは撮影開始が静止画か動画かをユーザが判断するため静止画、動画の撮影開始を非常に簡単な操作にする必要がある。また、ユーザが静止画を撮影したい場合には、そのシャッタチャンスを逃さないようにする必要がある。
【０００５】
本発明の課題は、シャッタチャンスを逃すことなく静止画撮影できるシステムと、同じく動画撮影ができるシステムを同じ撮影装置で実現し、かつ操作性をよくし、コンパクト化され低消費電力のビデオカメラを実現することにある。
【０００６】
更に静止画及び動画が一つの記録媒体上に混在するので、その管理を容易にした記録フォーマット及び記録再生方式を実現することにある。
【０００７】
【課題を解決するための手段】
前記課題を解決するため、本発明は、静止画像情報又は動画像情報を記録媒体に記録する撮影技術において、被写体の画像情報を入力し、前記撮影を操作された時間の長さに応じて動画像記録か静止画像記録かを判断し、撮影を操作された後、静止画像記録か動画像記録かを判断する前に、前記入力した静止画像情報及び動画像情報を記憶し、静止画像記録と判断した場合には、前記記憶した静止画像情報を前記記録媒体に記録し、動画像記録と判断した場合には、前記記憶した動画像情報を前記記録媒体に記録する。
【０００８】
【発明の実施の形態】
まず、発明の実施の形態の概要について説明する。
本撮影装置では、ユーザが撮影開始を行う撮影開始指示手段である撮影開始指示ＳＷを静止画、動画モードとも共通化し、さらに前記撮影開始指示ＳＷの動作を監視或いは判断し、前記監視あるいは判断に応じて記録動作を制御する制御手段を設け、上記撮影開始指示ＳＷの動作タイミングで記録モードが静止画か動画かを上記制御手段が判断できる制御構成を設ける。記録手段として例えば半導体メモリのように記録開始までの時間の短く、また記録するための消費電力が少なく且つ記録速度が早いが記録容量が少ない第１の記録手段と、ディスクあるいはテープ媒体の様に記録開始までの時間が第１の記録手段より長く、記録するための消費電力が大きいが記録容量の大きい第２の記録手段の２つ以上を搭載する。さらに撮影開始指示ＳＷを押された瞬間には上記制御手段は静止画を記録するつもりなのか、あるいは動画を記録するつもりなのかの判断ができないため、第１の記録手段である半導体メモリには静止画を最初に記録し、引き続き動画を記録する制御構成を設ける。
【０００９】
さらに上記撮影開始指示ＳＷの静止画かあるいは動画かの動作の判断を撮影開始指示ＳＷの押された長さで判断する判断手段を設けると共に、その動作タイミングから記録モードが動画であることが判断された場合には、第２の記録手段の記録動作をスタートさせ、記録可能になった後、上記第１の記録手段に記録された静止画及び／または動画を記録する制御構成を設ける。
【００１０】
さらに上記撮影開始指示ＳＷの動作に従い動画記録が行われているとき、その後前記撮影開始指示ＳＷが再び動作した場合、該動作が動画記録の終了であると判断し、記録の終了を制御する制御構成を設ける。
【００１１】
上記構成にすることで、撮影開始指示ＳＷの動作と同時に記録開始までの時間の短く、消費電力が少ない第１の記録手段がまず静止画記録を、引き続き動画記録を行ない、ユーザの要求が静止画記録か動画記録かを判断した後、記録開始までの時間長く、消費電力が大きいが記録容量の大きい第２の記録手段が記録を開始するので、静止画で重要なシャッタチャンスを逃さないとともに、消費電力が少なくてすみ撮影装置の電力消費も抑えることできる。さらに１つの撮影開始指示ＳＷで、動画及び静止画記録の開始及び終了を行えるので、操作性が向上すると共に、コスト低減にもなる。
【００１２】
さらに、動画に比べ静止画の方が高画質を要求されるので、静止画と動画でＣＣＤで記録する画素数を変える、或いは記録時に選択的に記録する画素数を動画と静止画で変える、あるいは解像度を変える等の制御構成を設ける。これにより静止画の画質向上がなされる。
【００１３】
さらに動画記録の場合最初に記録媒体上に記録される情報を静止画にし、引き続き動画を記録し、上記静止画及び動画で一つの動画ファイルを形成する。これによりユーザは前記静止画を例えば動画ファイルのインデックス情報あるいはサムネール情報として利用できるので、記録媒体の管理及び操作性が向上する。
【００１４】
さらに静止画ファイルを記録する領域と動画ファイルを記録する領域とを同じ記録媒体上で区別する。特にディスク型記録媒体の場合には、動画ファイル領域をディスク型記録媒体上外周側に配置し、静止画ファイル領域を内周側に配置する。さらに上記動画ファイルを外周側から順次記録し、静止画ファイルを内周側から順次に記録する。上記構成にすることで、高速転送速度を要求される動画ファイルが、同一回転数でも線速度の大きい外周側に配置されるため、高速転送速度でも相対的に回転数を少なくでき消費電力を低減できる。さらに動画、静止画素ファイルがそれぞれ最外周と最内周の互いに最も離れたところから順次記録されるので、それぞれのファイル領域を記録の内容により例えば動画ファイルが多い場合は動画ファイル領域を内周側に広げる等の可変が容易にできる。また、例えば上記ディスク型記録媒体が螺旋記録方式で、ＣＤ−Ｒ，ＤＶＤ−ＲＡＭのように内周からの外周に向かって記録する方式では、内周側に動画ファイル領域、外周側に静止画ファイル領域を配置する。さらに上記動画ファイルを外周側から順次記録し、静止画ファイルを内周側から順次に記録する。これにより、例えば記録容量が撮影前に予想がつきにくい動画ファイルを内周側から順次記録し、記録容量が撮影前に予想でき、比較的少ない容量で記録する静止画ファイルを外周側から記録することで、容量が大きく、１個のファイルの長さが螺旋記録に対しディスク数回転あるいはそれ以上の回転分にも相当する記録が必要な動画記録がスムーズにできる。容量が少ないため、各ファイルの記録長さがディスク１回転分以下がほとんどである静止画ファイルに対しては外側からの順次記録でも螺旋記録に対して悪影響を受けない。効果については上記同様ファイル領域を記録の内容によって可変することが容易である。
【００１５】
以下、本発明の詳細な発明の実施の形態を説明する。
【００１６】
図１は本発明の一実施例である撮影装置１の概略構成である。２は被写体像をＣＣＤ、Ａ／Ｄ変換器等からなる撮像素子部３の受光面上に結像させる撮影部、４は前記撮像素子からの画像信号を画像データに変更処理する画像信号処理部、この画像信号処理部４は、音声情報信号入力手段であるマイクロフォン２１からの音声情報信号をも処理する。６は画像信号処理部４からの画像データを記録データをにするためにエンコード／デコード処理、変復調、ＥＣＣ付加、或いは第２の記録手段である記録媒体９へ記録するための記録フォーマットへの変換等を行うディジタル信号処理部。５は前記記録データを一時記憶する第１の記録手段である半導体メモリ。前記記録データはレーザ等からなる記録部７から記録媒体９であるディスクに記録される。本実施例は相変化を利用した光記録方式である。従って、記録媒体は相変化記録膜である。従って、サーボ部１１では光記録に必要なサーボ制御、例えば、ディスクの回転制御、トラッキング、フォーカシング制御などを行う。また、ユーザは撮影開始を撮影開始指示手段である撮影開始指示ＳＷ１４で記録動作を開始し、撮影終了指示ＳＷで記録を終了する。これらすべての部位の制御、管理を制御手段７である制御マイコンで行う。
【００１７】
再生は、ディスクに書かれた情報をレーザ光で反射されたディスクからの反射光量差として光検出器で構成される再生部１０で読みとり、アナログ信号処理部１２を通りディジタル信号処理部６で元の画像データに変換し、画像信号処理部４を経て画像表示部１３であるＬＣＤに表示させる。または、外部表示器２２、例えばテレビジョン等に表示する。これらの部位の制御、管理も制御手段７で行う。
【００１８】
次に記録の流れを図１、３を用いて説明する。記録は、撮影開始指示ＳＷ１４が押されたとほぼ同時に撮影部２から撮影素子３であるＣＣＤに画像が入り、  Ａ／Ｄ変換されて画像信号処理部４にはいり画像データに変換される。その後ディスクに記録する記録データにするためにディジタル信号処理部６でディスクに書かれる記録フォーマットに直す。ここまでの処理は電気的に行われるのでせいぜい数十ミリ秒程度の非常に速い時間で処理される。しかし、第２の記録手段である記録媒体９（ここではディスク）に記録される記録系では、撮影開始指示ＳＷが押されたと同時にディスクが回転し始め、所望の回転数になり、トラッキング、フォーカシング等のサーボ系がロックされ、記録の準備が出来るまでの時間は速くとも数百ミリ秒は必要であり、前記画像を記録データにまでに変換する時間に比べると非常に長い。従って、送られてくる画像データをディスクへの書き込みが可能になるまでの時間貯めておくために例えば半導体メモリ等の高速に記録再生可能なメモリ５を使う。通常電源ＯＮでは、制御手段７の制御用マイコン、各部インターフェイス部各種回路の電源、ここでは例えば画像信号処理部４、ディジタル信号処理部６、ＣＣＤ、Ａ／Ｄ変換部からなる撮像素子部３のみＯＮ状態のいわゆる待機状態になっており、消費電力は極力抑えられている。撮影開始指示ＳＷが押されたと同時にＣＣＤに画像が入り、  Ａ／Ｄ変換されて画像信号処理部にはいり画像データに変換される。その後ディジタル信号処理部を通して一旦メモリに蓄えられる。
【００１９】
このときのデータは画像データそのものであっても、あるいは記録媒体に記録されるフォーマットに変換された記録データでも良い。あるいはその途中の信号処理を施したデータであっても良い。また、この時点ではユーザが静止画を記録したいのか、或いは動画を記録したいのかの判断ができないので、撮影開始指示ＳＷが押されたと同時に制御手段７はまず静止画記録モードと判断し、静止画をメモリに記録し、引き続き動画モードに切り替え上記メモリに蓄える。上記において、静止画記録モードと動画記録モードでは、動画に比べ静止画の方が高画質、あるいは高解像度を要求されるので、記録時に選択的に記録する画素数を動画と静止画で変える。あるいは静止画の時のみ高解像度信号を出力する。画素数を変える方法としては、例えば動画、静止画でＣＣＤ画素数を変え、最初の静止画ではＣＣＤからの画素情報をそのまま取り込み、その後の動画モードではＣＣＤからの画素情報を間引いて取り込み、記録手段に記録する。解像度を変える方法としては、例えばＮＴＳＣ信号と考え、ＣＣＤを５２５本の走査線を順次走査し、一秒間に６０回行う５２５／６０ｐ（プログレッシブ）対応にし、５２５／６０ｐをそのまま静止画として記録する。あるいはフレーム走査に相当する１秒間に３０回行う５２５／３０ｐ（プログレッシブ）として記録する。動画の場合にはＮＴＳＣ信号におけるテレビジョン走査方式である飛び越し走査のいわゆるフィールド走査を１秒間に６０回行う５２５／６０ｉ（インターレース）あるいは５２５本の走査線を順次走査し、フレーム走査に相当する１秒間に３０回行う５２５／３０ｐ（プログレッシブ）として記録する。この方法によれば、静止画において垂直解像度の向上が可能となる。
【００２０】
撮影開始指示ＳＷが予め設定された一定時間以上押された場合には制御用マイコンが動画記録モードであることを認識し、動画撮影モードになる。この場合のその後の動作は、まず動画撮影モードと判断した制御用マイコンはサーボ回路を通してディスクの回転、アクチェータの動作を行わせ、所定の位置にサーボをロックさせてた後ディジタル信号処理部において画像データを記録データに変換し、ディスク上に記録データを記録する。図３ではディスク回転及び、サーボロックが完了した後画像データを記録データに変換するようになっているがこれに限ることはなく、回転及びサーボロックまでの時間の間に前記メモリに蓄えられた画像データをディスクに記録されるフォーマットに変換された記録データに直しても良い。撮影中に撮影終了指示ＳＷが押されるまでは図に示すように画像データ入力、記録データ変換、ディスク上への記録が続く。撮影終了指示ＳＷが押された時点でそれまでにＣＣＤから入力された画像データを記録した後ディスク停止、待機状態に戻る。また図ではメモリの管理方法は特に記述していないが、動画モードで記録中、第１の記録手段である容量の小さいメモリがその記録容量を超えそうになった場合、或いは所定のの容量以上になった場合には、制御手段がそれを判断し、すでにディスク上に記録された記録開始直後の情報から順次消去し更新する。
【００２１】
本実施例では撮影開始指示ＳＷと撮影終了指示ＳＷとが別構成になっているが、これに限ることはなく、同一ＳＷで代用し、例えば、一回一定時間撮影開始指示ＳＷが押されれば動画モードの記録がスタートし、次に上記撮影開始指示ＳＷが押されると記録の終了と判断し、記録終了動作を行っても良い。この場合の撮影開始指示ＳＷと撮影モードとの関係を図４を用いて説明する。
【００２２】
図４では撮影開始指示ＳＷがＯＮ状態であることを例えば電圧等で感知し、そのＯＮ状態の長さを電圧が付加されている時間で判断する場合を示している。図４の（１）は静止画撮影モードである。有る所定の時間撮影開始指示ＳＷが押されていなければユーザの要求動作は静止画撮影であることを制御手段７は判断し、静止画撮影モードを行い終了する。その後再度撮影開始指示ＳＷが押された場合も同じくある所定の時間撮影開始指示ＳＷが押されていなければユーザの要求動作は静止画撮影であることを制御手段７は判断し、同様に静止画撮影モードを行い終了する。図４の（２）は動画撮影モードである。有る所定の時間撮影開始指示ＳＷが押されているとユーザの要求動作は動画撮影であることを制御手段７は判断し、動画モードを行う。この場合もう一度撮影開始指示ＳＷが押されるまでは動画を撮影し続ける。従って、次に撮影開始指示ＳＷが押された場合には制御手段７は今度は動画撮影終了と判断し、記録を終了させる動作を行う。図４の（３）は静止画モードと動画モードが混在する場合を示す。一般的にはこのモードが多い。この場合には最初の撮影開始指示ＳＷの押された時間が所定の長さ以下なのでユーザの要求動作は静止画撮影であることを制御手段７は判断し、図４の（１）と同様静止画撮影モードを行い終了する。次に撮影開始指示ＳＷが押されたときに今度は所定の長さ以上押され続けたので制御手段７はユーザ要求が動画撮影であると判断し、動画撮影モードを行い次に撮影開始指示ＳＷが押されるまで記録する。上記方法によれば静止画撮影、及び動画撮影を一つのＳＷで行うことができるので、ユーザ操作が単純になり、例えば静止画におけるシャッタチャンスを逃すこともなく、簡単操作で動画も撮影できる。さらに、動画記録の終了も一つのＳＷですむので操作性が向上すると共に、コスト低減にもなる。
【００２３】
図５に本実施例に従い第１及び第２の記録手段に記録する場合の記録タイミングを示す。図５では動作ＯＦＦ状態を基準電圧、動作ＯＮ状態をある一定電圧が付加されたとして示す。撮影開始指示ＳＷ１４が押されたと同時に制御手段７から撮影素子３、画像信号処理部４、デジタル信号処理部６、第１の記録手段であるメモリ５に静止画記録を指示し、引き続き動画記録を指示する。その後、上記撮影開始指示ＳＷ１４の動作モードからユーザが静止画記録を要求したと判断した場合には図５の（２）に示すように第２の記録手段に静止画記録を指示し、静止画を記録した後装置の記録動作を終了する。このとき第１の記録手段は図５の（１）に示すように、静止画を記録した後、少なくとも上記制御手段７がユーザ要求が静止画要求であると判断するまでは引き続き動画を記録する。動画記録の場合は図５の（３）、（４）に示すように、まず静止画を第１及び第２の記録手段に記録した後、引き続き動画を動画の終了判断が制御手段でなされるまで記録する。ユーザ要求が動画記録であっても静止画を記録することで、ユーザは前記静止画を例えば動画ファイルのインデックス情報あるいはサムネール情報として利用できる。
【００２４】
図６に本実施例に従い動画記録した場合の動画ファイルの構造及び、再生方法を示す。図６（１）において、動画記録の場合最初に記録されるのが静止画であり、引き続き動画を記録する。従って、上記静止画及び動画で一つの動画ファイルを形成する。次の動画が記録されたときには、前述の動画ファイルに引き続き上記方法にて記録される。上記ファイルの再生では、図６（２）に示すように、静止画、引き続き動画の順に再生する。もしくは、図６（３）に示すように動画のみを再生する。上記再生制御は制御手段７にて行う。
【００２５】
図７に本実施例に従い静止画記録した場合の静止画ファイルの構造及び、再生方法を示す。図６（１）において、静止画記録モードで記録された静止画ファイルは、静止画ファイルの連続として記録される。さらに図６（２）に示すように、静止画ファイルの再生は記録静止画ファイル順に再生する。上記ファイルをディスク型記録媒体９上に展開したものが図８である。すなわち、静止画ファイルを記録する領域と動画ファイルを記録する領域とを同じ媒体上で区別する。上記構成では、静止画モードで記録された順に記録媒体上に記録するので、図８で示すように例えば静止画モードで静止画ファイル１を記録したの後、動画モードで動画ファイル１”を記録し、再び静止画モードで静止画ファイル２記録した場合にも、記録媒体上では、静止画ファイルは静止画ファイルの記録領域に記録し、動画ファイルは動画ファイルの記録領域に記録する。上記構成にすることで、小さな容量で記録される静止画と、大容量で記録される動画とを別領域に記録できるので、例えば静止画のみを表示したい場合にはファイルがある特定の場所にあるのでシークする時間が少なくてすみファイル表示をスムーズに出来る。また、図８に示すように、動画ファイル領域をディスク型記録媒体９上外周側に配置し、静止画ファイル領域を内周側に配置する。上記構成にすることで、高速転送速度を要求される動画ファイルが、同一回転数でも線速度の大きい外周側に配置されるため、高速転送速度でも相対的に回転数を少なくでき消費電力を低減できる。従ってシステム余裕度が向上する。さらに図８に示すように動画、静止画素ファイルがそれぞれ最外周と最内周の互いに最も離れたところから順次記録されるので、それぞれのファイル領域を記録の内容により例えば動画ファイルが多い場合は動画ファイル領域を内周側に広げる等の可変が容易にできる。図９に例えば上記ディスク型記録媒体が螺旋記録方式で、ＣＤ−Ｒ，ＤＶＤ−ＲＡＭのように内周からの外周に向かって記録する方式のディスク上のファイル配置を示す。図９に示すように、内周側に動画ファイル領域、外周側に静止画ファイル領域を配置する。さらに上記動画ファイルを外周側から順次記録し、静止画ファイルを内周側から順次に記録する。これにより、例えば記録容量が撮影前に予想がつきにくい動画ファイルを内周側から順次記録し、記録容量が撮影前に予想でき、比較的少ない容量で記録する静止画ファイルを外周側から記録することで、容量が大きく、１個のファイルの長さが螺旋記録に対しディスク数回転あるいはそれ以上の回転分にも相当する記録が必要な動画記録がスムーズにできる。容量が少ないため、各ファイルの記録長さがディスク１回転分以下がほとんどである静止画ファイルに対しては外側からの順次記録でも螺旋記録に対して悪影響を受けない。効果は上記同様ファイル領域を記録の内容によって可変することが容易であることが挙げられる。
【００２６】
上記では動画記録ファイルには必ず静止画が先頭に配置されているが、これに限ることはなく、動画ファイルの途中であっても、あるいは静止画情報が無くても良い。また図８では記録ファイルが同心円上に記録されているが、これに限ることはなく、例えば螺旋状に記録されても良い。また上記記載では、静止画ファイル、動画ファイルが記録順に連続的に配置されているが、これに限ることはなく、例えば要らないファイルの上に重ね書きしても、また、傷等で連続記録できない場合にはその部分を避けて記録しても良い。
【００２７】
上記では制御手段は制御用マイコン１つでカメラ側と記録再生部を制御する構成を示しているが、これに限ることはなく、図２に示すようにインターフェイス部１６を介して制御手段をカメラ制御手段１７と記録再生制御手段１８とに分けてもよい。この場合にはカメラ側の撮影開始指示ＳＷの動作をがカメラ制御手段１７として使用するカメラ制御マイコンで判断し、インターフェイス部を通して記録再生制御手段１８として使用する記録再生制御マイコンにその情報を送り、記録再生側制御マイコンがその情報に従い記録再生を制御する。このようにすることで、記録再生部とカメラ部を例えば独立切り離しができる。
【００２８】
本実施例では相変化を利用した光記録方式ディスクカメラについて述べているがこの方式に限ることはなく、例えば光磁気記録方式、あるいは磁気記録方式のディスクを使っても良い。また、第２の記録手段はである記録媒体はディスクに限ることはなく、例えばテープ、半導体メモリでも良い。半導体メモリの場合は、例えば撮影開始指示ＳＷが押された時点で一旦貯める半導体メモリは高速なＳＲＡＭ、最終的に記録する媒体はフラッシュメモリ等の半導体メモリがよい。
【００２９】
【発明の効果】
静止画で重要なシャッタチャンスを逃すことなく消費電力の低減が出来る。さらに１つの撮影開始指示ＳＷで、動画及び静止画記録の開始及び終了を行えるので、操作性が向上すると共に、コスト低減にもなる。
【図面の簡単な説明】
【図１】本発明の１実施例を示す図で、光ディスク装置システム構成を示す図である。
【図２】本発明の別の実施例を示す図で、光ディスク装置システム構成を示す図である。
【図３】本発明の１実施例のシステムフローを示す図である。
【図４】本発明の１実施例の撮影開始指示ＳＷの動作タイミングを示す図である。
【図５】本発明の１実施例の記録タイミングを示す図である。
【図６】本発明における動画ファイルのファイル構成を示す図である。
【図７】本発明における静止画ファイルのファイル構成を示す図である。
【図８】本発明における記録媒体上のファイル構成を示す図である。
【図９】螺旋記録方式の記録媒体上のファイル構成を示す図である。
【符号の説明】
１…撮影装置            ２…撮影部                          ３…撮像素子部
４…画像信号処理部      ５…メモリ                          ６…デジタル信号処理部
７…制御手段            ８…記録手段                      ９…記録媒体
１０…再生部            １１…サーボ部          １２…アナログ信号処理部
１３…画像表示部        １４…撮影開始指示ＳＷ  １５…撮影終了指示ＳＷ
１６…インターフェイス  １７…カメラ制御手段    １８…記録再生制御手段
１９…カメラ装置部      ２０…記録再生装置部    ２１…マイクロホン
２２…外部表示器
【図１】
0003555418.tif 000002
【図２】
0003555418.tif 000003
【図３】
0003555418.tif 000004
【図４】
0003555418.tif 000005
【図５】
0003555418.tif 000006
【図６】
0003555418.tif 000007
【図７】
0003555418.tif 000008
【図８】
0003555418.tif 000009
【図９】
0003555418.tif 000010